(57)【要約】      （修正有）【課題】使いやすく、コンパクトで、机上で手軽に公差を計測し、機能確認しながら体験的に理解を深めるための公差測定器具を提供する。【解決手段】公差測定器具は、ゲージ台と、このゲージ台に一方向に弾圧されると共に水平方向に進退する調整ネジ杆の一端に螺合され、而も弾性体にて一方向に弾圧された滑動ナットと、この滑動ナットに螺合して進退自在に備えられた調整ネジ杆と、この調整ネジ杆の進行に対してバネにて弾圧された調整台と、基準寸法に選定した複数本の中から、設計所望に適合した１本を抽出して前記調整台に取付けられた公差ピンと、この公差ピンに適合する基準寸法に選定した円弧状の開口溝を有する複数枚の中から、その設計所望に適合した１枚を抽出し、前記ゲージ台の受子に嵌合し、且つ回転自在に軸支持されるゲージプレートと、前記ゲージ台に主尺部を有すると共に、前記調整台に、主尺部に対向する位置に副尺部を設ける。【選択図】図１
2012237699.tif 000002
【特許請求の範囲】
【請求項１】
ゲージ台と、このゲージ台に一方向に弾圧されると共に水平方向に進退する調整ネジ杆の一端に螺合され、而も弾性体にて一方向に弾圧された滑動ナットと、この滑動ナットに螺合して進退自在に備えられた調整ネジ杆と、この調整ネジ杆の進行に対してバネにて反発するように弾圧された調整台と、更に任意の基準寸法に選定した複数本の中から、その設計所望に適合した１本を抽出して前記調整台に直立して取付けられた公差ピンとこの公差ピンに適合する任意の基準寸法に選定した円弧状の開口溝を有する複数枚の中から、その設計所望に適合した１枚を抽出し、前記ゲージ台の受子に嵌合し、且つ回転自在に軸支持されるゲージプレートと、前記ゲージ台に主尺部を有すると共に、前記調整台に、主尺部に対向する位置に副尺部を有することを特徴とする公差測定器具。
【請求項２】
前記公差ピンは任意の基準寸法における各公差の上限値と下限値に対応した公差ピンよりなると共に、各基準寸法の公差ピンの集合よりなる。更に、前記ゲージプレートは、任意の基準寸法における各公差の上限値と下限値に対応した円弧状の開口溝をもつ、更にこの開口溝を線対称に配置したものよりなると共に、各基準寸法のゲージプレートの集合よりなることを特徴とする請求項1記載の公差測定器具。
【請求項３】
前記調整台は公差ピンを直立に取り付けるための位置決用ピンを複数にすると共に、公差ピンの取り付けピッチに対応して、ゲージプレートの円弧状の開口溝を複数にしたことを特徴とする請求項1記載の公差測定器具。
【請求項４】
前記調整ネジ杆は一定空隙を保持する様弾性的に取り付けた回転目盛を有すると共に、ゲージ台又は押えカバーに付された０点基準目盛を有することを特徴とする請求項1記載の公差測定器具。
【発明の詳細な説明】
【技術分野】
【０００１】
本発明は、機械設計における寸法公差のすきまを調べる公差測定器具とその公差測定器具を用いた寸法公差のすきまに関する体験的学習方法、及び実技教育方法に関するものである。
【背景技術】
【０００２】
一般的には、設計者が各種機械装置を設計するには、さまざまな設計条件を決定することが必要である。その一つに公差の決定がある。各種機械装置の機能を達成するためには適切な寸法公差の組み合わせが必要である。ところが、昨今の設計者及び技術者の多くは、部品を自ら組立てる作業を行わないことが多く、公差に対する関心が低いために公差に関する理解が不足している場合がある。
そのため、機械関係の設計者及び技術者に、公差に関する重要性とその内容を十分に理解させ、その上で各種機械装置の設計や製造を行わせることが求められている。
【０００３】
一方、ＣＡＤ装置などを利用して機械設計を行う場合、解析機能を持つものなどもあるが、寸法関係に限定した場合、寸法は絶対的なものとして扱われるが、実際上は、機械加工公差内の精度の製品しかできないという問題があり、ここにおいて、機械設計の一つの課題が発生する。
即ち、実際に発生する加工公差に対して、設計寸法を考慮することが必要となるのである。
【０００４】
従来より、設計者や技術者は、公差について教科書や専門書で学習しているが、教科書などに書かれている図や文章だけでは理解することは困難である。特に初心者にとっては難解であることから、教材器具などを使用した体験的な学習方法が有効である。
【０００５】
この公差問題を、体験的に実感しながら各種機械装置及びその部品の機械設計技術の習得ができれば、量産工程や市場にて品質トラブルを最小限に抑えることが可能となる。また、生産性の向上が図れることとなり、産業上において有益なものとなるのである。
その一助として、教育機材としての公差測定器具を提供しようとするものである。
【先行技術文献】
【非特許文献】
【０００６】
【非特許文献１】ＪＩＳＢ００２４    製図公差方式の基本原則
【非特許文献２】ＪＩＳＢ０４０１−１  寸法公差及びはめあいの方式                    第１部：公差、寸法公差およびはめあいの基礎
【非特許文献３】ＪＩＳＢ０４０１−１  寸法公差及びはめあいの方式  第２部：穴及び軸の公差等級並びに寸法許容差の表
【非特許文献４】機械実用便覧：発行  日本機械学会                機械の要素の章：機械製図の寸法公差及びはめあい
【発明の概要】
【発明が解決しようとする課題】
【０００７】
本発明は、使いやすく、コンパクトで、机上で手軽に公差を計測し、機能確認しながら体験的に理解を深めるための公差測定器具を提供するものである。
【課題を解決するための手段】
【０００８】
本発明は、ゲージ台と、このゲージ台に一方向に弾圧されると共に水平方向に進退する調整ネジ杆の一端に螺合され、而も弾性体にて一方向に弾圧された滑動ナットと、この滑動ナットに螺合して進退自在に備えられた調整ネジ杆と、この調整ネジ杆の進行に対してバネにて反発するように弾圧された調整台と、更に任意の基準寸法に選定した複数本の中から、その設計所望に適合した１本を抽出して前記調整台に直立して取付けられた公差ピンと、この公差ピンに適合する任意の基準寸法に選定した円弧状の開口溝を有する複数枚の中から、その設計所望に適合した１枚を抽出し、前記ゲージ台の受子に嵌合し、且つ回転自在に軸支持されるゲージプレートと、前記ゲージ台に主尺部を有すると共に、前記調整台に、主尺部に対向する位置に副尺部を有することを特徴とする公差測定器具。
【０００９】
また本発明は、前記公差ピンは任意の基準寸法における各公差の上限値と下限値に対応した公差ピンよりなると共に、各基準寸法の公差ピンの集合よりなる。更に、前記ゲージプレートは、任意の基準寸法における各公差の上限値と下限値に対応した円弧状の開口溝をもつ、更にこの開口溝を線対称に配置したものよりなると共に、各基準寸法のゲージプレートの集合よりなることを特徴とする請求項1記載の公差測定器具。
【００１０】
また本発明は、前記調整台は公差ピンを直立に取り付けるための位置決用ピンを複数にすると共に、公差ピンの取り付けピッチに対応して、ゲージプレートの円弧状の開口溝を複数にしたことを特徴とするものである。
【００１１】
更に本発明は、前記調整ネジ杆に一定空隙を保持する様弾性的に取り付けた回転目盛を有すると共に、ゲージ台又は押えカバーに付された０点基準目盛を有することを特徴とするものである。
【発明の効果】
【００１２】
（１）請求項１により、調整台はバネ並びに弾性体で弾圧されているので、ネジのガタはなくなる。所謂バックラッシュはなくなると共に、調整台の公差ピンにゲージプレートがかみ合う時に過大な力の発生を防止できるので機器を破損から防止できると共に、公差ピンとゲージプレート間に発生するすきまを調整ネジ杆により調整台を進退させることにより、主尺部と副尺部からノギスと同様の計測方法により計測することができる。
【００１３】
従って、すきまに基づく公差問題を、体験的に実感しながら各種機械装置及びその部品の機械設計技術の習得ができれば、量産工程や市場にて品質トラブルを最小限に抑えることが可能となる。また、生産性の向上が図れることとなり、産業上において有益なものとなるのである。
【００１４】
（２）請求項2により、種々の公差ピンと種々のゲージプレートの組合せに対して発生するすきまを計測することができる。従って、公差選定（適切な寸法公差の組み合わせ）の技術習得が容易となる。
更に、計測数値のみならず、実際に発生するすきまを体験的に学習することができる。
【００１５】
（３）請求項3により、調整台に選択的に公差ピンを取付けることができるようにし、ゲージプレートの開口溝を選択的に活用できるようにしたことで、ゲージプレートの開口溝の複数化、例えば、2種とすれば、ゲージプレートの枚数を半減できることにより、コンパクトな公差測定器具となる。
【００１６】
（４）請求項4により、調整ネジ杆で調整台を進退させた移動量をマイクロメータと同様の計測方法にすることにより、主尺部と副尺部で得られる計測精度よりも更に精度の高い計測値を得ることができる。
【図面の簡単な説明】
【００１７】
【図１】公差測定器具の全体構成を示す斜視図
【図２】ゲージ台部の構成図
【図３】滑動ナット部の詳細構成図
【図４】ゲージ台部の平面断面図
【図５】ゲージ台部の正面図
【図６】公差ピンセットの代表構成図
【図７】統合した公差ピンセットの代表構成図
【図８】公差ピンブロックの代表構成図
【図９】ゲージプレートの代表構成図
【図１０】ゲージプレートのブロック代表構成図
【図１１】公差測定器具の操作図
【図１２】公差測定器具のユニット図
【発明を実施するための形態】
【００１８】
以下本発明を実施例として掲げた図面に基づいて説明すると、図１は本発明に係る公差測定器具の斜視図を示し、直方体形状のゲージ台１の上面には、任意の基準寸法に選定した円弧状の開口溝を有する複数のゲージプレート３０から、その設計所望に適合した１枚を抽出し、前記ゲージ台の軸線ｘ上に配置した受子１５にて軸支持されると共に、このゲージプレート３０は軸ｓに対して反時計方向及び時計方向に回転自在に取付けられている。更に、このゲージ台1には、軸線ｘ方向に進退自在に摺動する調整台２を装備している。
【００１９】
この調整台２はゲージ台１に装備した調整ネジ杆４の回転つまみ９を回動することにより軸線ｘ方向に進退自在に摺動させることができる。更に調整台２の軸線ｘ上に配置された位置決用ピン１６に任意の基準寸法に選定した複数の公差ピン２０の中から設計所望に適合した１本を抽出し、前記調整台に直立して取付けられる。
尚、この公差ピン２０は着脱自在となっている。
【００２０】
更に、ゲージ台１に主尺部１８を、且つ、調整台２に副尺部１９を夫々有し、ノギスと同様の方法にて調整台２の移動量を計測することができる構成となっている。
【００２１】
更に、図２に基づいて構造詳細を具体的に説明する。ゲージ台１の軸線ｘ上にガイドレール軸３を配置すると共に、調整台２を、このガイドレール軸３に係合させることにより、調整台２は、ゲージ台１に、平行に且つ水平に摺動する。
【００２２】
上記調整ネジ杆４は、軸線ｘと平行に配置すると共に、非回転で摺動する滑動ナット５に螺合し、この滑動ナット５は弾性体7を介しゲージ台１に弾圧されている。
即ち、図３に示すように、滑動ナット５は押えカバー８により、弾性体７を介してゲージ台２に弾圧されている。
更に、調整台２は、バネ６により調整ネジ杆４に弾圧される構造になっているので、調整ネジ杆４に係るバックラッシュの発生を防止している。
【００２３】
また、図４、図５に示すように、副尺部１９のゼロ調整のために、調整ネジ杆４の同一軸線上に、調整台２の中に、スペーサ１３と微調整ネジ１４を配列し、微調整ネジ１４の進退により、調整台２を軸線ｘ方向に進退させることで副尺部１９の０点と主尺部１８の０点を一致させるようにすることができる構成とした。
【００２４】
図６は本発明の公差ピン２０の代表例を示す斜視図である。  公差ピン２０は各軸径に対応する基準寸法と軸の種類及び等級に対応したもので、且つ、各軸の種類、等級の公差（寸法許容差と称す）の上限値および下限値寸法の公差ピン２０を公差ピンセットとし、更に公差ピンセットの集合体からなる公差ピンブロックで構成されている。
更に、公差ピン２０は、軸芯部に、位置決用ピン１６に嵌合挿入する穴部を持つ、従って、調整台２に直立して取り付けることができるようになっている。
また、公差ピン２０を抽出、特定するために、円板面に、軸の基準寸法、軸の種類と等級、及び公差（許容寸法差と称す）を記している。
また、上限値と下限値の判別を容易にするために、上限値記号（L）,下限値記号（S）を記している。更に、色分けすることも考えられる。
【００２５】
更に、図６について詳細に述べると、公差ピン１０−１は、その円板面に、軸の基準寸法の１０、軸の種類のｈ、等級の７、更に上限値記号（Ｌ）及び公差（許容寸法と称す）の上限値の０を記している。また公差ピン１０−２は、その円板面に、軸の基準寸法の１０、軸の種類のｈ、等級の７、更に下限値記号（Ｓ）及び公差（許容寸法と称す）の下限値の数値を記している。
公差ピン１０−3は、その円板面に、軸の基準寸法の１０、軸の種類のｈ、等級の8、更に上限値記号（Ｌ）及び公差（許容寸法と称す）の上限値の０を記している。また公差ピン１０−４は、その円板面に、軸の基準寸法の１０、軸の種類のｈ、等級の８、更に下限値記号（Ｓ）及び公差（許容寸法と称す）の下限値の数値を記している。
前記軸の基準寸法の１０、軸の種類のｈ、等級の７が上限値の公差ピン１０−１と下限値の公差ピン１０−２をセットにしたものを公差ピンセット２１−１、更に軸の基準寸法の１０、軸の種類のｈ、等級の８が上限値の公差ピン１０−3と下限値の公差ピン１０−４をセットにしたものを公差ピンセット２１−２として示した。
【００２６】
また、図７に示すように、軸の基準寸法と軸の種類が同じならば、等級に関係なく公差（寸法許容差と称す）の上限値または下限値は同一の場合が多い。
図６に示す軸の基準寸法が１０、軸の種類がｈ、等級が７の上限値の公差ピン１０−１は、図６に示す軸の基準寸法が１０、軸の種類がｈ、等級が８の上限値の公差ピン１０−３の上限値公差は共に０なので、共通化できる。従って、公差ピン１０−１と公差ピン１０−３を統合し、公差ピン１０−１として円板面には、軸の基準寸法の１０、軸の種類のｈ、等級の７／８、更に上限値記号（Ｌ）を記している。
従って、軸の基準寸法と軸の種類による統合した公差ピンセット２１−３にすることにより、公差ピンの個数を縮減することができる。更に、等級による公差の上限値または下限値の同一の範囲を±０．００２ｍｍ以下ならば誤差の許容範囲内とすると統合化が容易となり、更に公差ピンの縮減が可能になる。従って、公差ピンブロック２２をコンパクトにできるので、公差測定器具をコンパクトにまとめることができる。
【００２７】
図８は本発明の公差ピンブロック２２の実施例を示すものであり、各種公差ピンセット２１の集合で構成されている。その各種公差ピンセット２１は各軸径の基準寸法(８／１０／１２など)と軸の種類(ｅ／ｇ／ｈ／ｊｓ／ｍなど)及び等級（６／７／８／９など）に対応したもので、且つ、等級の公差（寸法許容差と称す）の上限値および下限値寸法の公差ピン２０をセットとしたものである。
公差ピンセットのゲージ呼称を軸の基準寸法、軸の種類及び等級であらわすと、前記公差ピンセット２１−１は、ゲージ呼称１０ｈ７となり、公差ピンセット２１−２は、ゲージ呼称１０ｈ８となり、公差ピンセット２１−３は、ゲージ呼称１０ｈ７／８となる。
図８に示す公差ピンセット２１の具体例は、前記ゲージ呼称であらわすと
公差ピンセット２１−４は、ゲージ呼称１２ｅ８／９を示している。
公差ピンセット２１−５は、ゲージ呼称１２ｇ６／７を示している。
公差ピンセット２１−６は、ゲージ呼称１２ｈ７／８を示している。
公差ピンセット２１−７は、ゲージ呼称１０ｅ７／８を示している。
公差ピンセット２１−８は、ゲージ呼称１０ｇ７／８を示している。
公差ピンセット２１−９は、ゲージ呼称１０ｈ７／８を示している。
公差ピンセット２１−１０は、ゲージ呼称１０ｊｓ６を示している。
公差ピンセット２１−１１は、ゲージ呼称１０ｍ６を示している。
【００２８】
図９は本発明のゲージプレート３０の代表例を示す正面図である。
ゲージプレート３０は、扇型に形成し、軸芯部に受子１５に挿入嵌合する穴部３１を持ち、且つ、軸芯部から固定のピッチ上に円弧状の開口溝３２を持っている。
上記開口溝は、各穴径に対応する基準寸法と穴の種類及び等級に対応した幅の円弧状の開口溝であり、且つ、その開口溝を線対称に配置すると共に、各穴の種類、等級及び公差（寸法許容差と称す）の上限値および下限値寸法の幅を持つ円弧状の開口溝で構成される。
更に、円弧状の開口溝の近傍には、ゲージプレート３０を抽出、特定するために、板面に、穴の基準寸法、穴の種類と等級、及び公差（許容寸法差）を記している。
また、下限値、上限値の判別を容易にするために、上限値記号（L）,下限値記号（S）を記している。
【００２９】
ゲージプレート３０は任意に選定した穴径に対応する基準寸法と軸の種類及び等級に対応した幅の円弧状の開口溝をもつものである、図１０に示すように、このゲージプレート３０の集合体からなるゲージプレートブロック３４で構成されている。
このような構成にすることにより、
種々の公差ピン２０と種々のゲージプレート３０の組合せに対して発生する
すきまを計測することができる。と共に誤抽出などの弊害を最小限に抑えながら公差選定の技術習得を可能にしている。
【００３０】
更に、図１１に示すように、公差ピン２０を手に持ち、公差ピン２０をゲージプレート３０の開口溝に嵌合させた状態にし、開口溝の幅方向に動かしてみることにより、計測数値のみならず、実際に発生するすきまを体験的に実感することができる。
したがって、各種公差の組合せに基づく体験の積み重ねにより、公差選定（適切な寸法公差の組み合わせ）の技術習得が容易となる。
【００３１】
図８に示すごとく、ゲージプレート３０に更に、第２円弧状の開口溝３３を設けると共に、更に、図４に示すように、調整台２にも第２位置決用ピン１７を設けることにより、選択的に複数の公差ピン２０を直立させる構造にすることで、ゲージプレート３０の枚数の縮減が可能となり、公差測定器具をコンパクトにすることができる。
従って、図１２に示すように、公差測定器具ユニットとして、机上で公差問題の技術を習得するためにコンパクトにすることが可能である。
【００３２】
図５に回転目盛を示す。
すきまの計測方法をノギス方式からマイクロメータ方式にしたものである。
回転目盛１０は、マイクロメータと同様に円筒形の外周面に等間隔に目盛が付されていて、１箇所に０点記号が付されているものである。更に、図３に示すように、この回転目盛１０は、調整ネジ杆４にゴムブッシュ１１を介して一定空隙を保持する様に弾性的に取付けられている。従って、通常使用では、回転位置を保持するが、多少力を加えれば、回転位置を回動することが可能となり、ゼロ調整を容易に行うことができる。ゼロ調整とは、回転目盛の０点をゲージ台または押えカバー８に付された０点基準目盛に合わせることである。
而して、調整台２の移動量を回転目盛１０で正確に計測できることができる。即ち、すきまを回転目盛でより精度よく計測することができる。
【００３３】
次に本発明に係る公差測定器具の使用手順を説明する。
先ず、対応する軸径と穴径の公差を選定する手順について述べる。
設計対象である機械装置の使用目的から必要な仕様を決める。公差については、教科書等に述られているなかから軸穴組合せ公差を選定する。
【００３４】
先ず、すきまの計測準備段階について述べる。
（１）先ず、その選定条件に対応する公差ピンの上限値のものと、対応するゲージプレートを選び出す。
（２）次に、ゲージ台の初期調整として、回転つまみを回動し、主尺部と副尺部のゼロ調整を行う。
ゼロ調整とは、主尺の０点と副尺の０点を一致させるように回転つまみを回動して調整台を軸線ｘ方向に進退することで達成することができる。
（３）更に、公差ピンを調整台の位置決用ピンに嵌合挿入する。
続いて、ゲージプレートをゲージ台の受子に嵌合挿入する。
【００３５】
次に、すきまの計測手順について述べる。
（４）ゲージプレートを軸ｓを中心にして反時計方向に回動し、寸法公差の下限値の開口溝幅部を公差ピンに噛み合わせる。
（５）ゲージプレートの開口溝の奥端部を、公差ピンの外径部に密着させる。
（６）次に、回転つまみを回動し、調整台を軸線ｘ方向へ進行させる。回転つまみが回転できなくなった点で、副尺部の目盛よりノギスの原理を利用して（以後副尺部にてと称す）調整台の移動量を計測する。
この計測値をプラスすきま１とする。
（７）更に、回転つまみを逆転し、調整台を軸線ｘ方向へ後退させて回転つまみが回転できなくなった点で、副尺部にて調整台の移動量を計測する。
この計測値をマイナスすきま１とする。
而して、その２計測値（プラスすきま１、マイナスすきま１）の合計値をすきま１とする。
【００３６】
（８）続いて、ゲージプレートを反転（軸ｓを中心にして時計方向）回動し、寸法公差の上限値の開口溝部の奥端部を公差ピンの外径部に密着させる。
（９）  工程（６）と（７）にてすきまの測定を行う。
そこで得られたプラスすきま２とマイナスすきま２の合計値をすきま２とする。
【００３７】
(１０)次に、先の公差ピンに対応した下限値の公差ピンを選定し、調整台の位置決用ピンに嵌合挿入する。
(１１)  工程（４）〜（９）にてすきまの測定を行う。
従って、すきま３とすきま４を得る。
(１２)  工程（１）〜(１１)により、４種類のすきまが計測される。
この計測されたすきまは選定した公差により発生するものであり、
最小すきま（すきま１）と最大すきま（すきま４）から公差の妥当性を判断することが必要となる。
【００３８】
判断基準については、一般的に、下記に示す運用がなされている。即ち、
・企業には、社内基準としての判定方法を持つところもあるので、その基準に従えばよい
・基準を持たないところでは、実績と経験を基に判断すべきものである。
・教育の場においては、教科書などに記載されたものを基準に判断すればよい、
但し、計測値、及びすきまの実感を体験的に知識としてデータベース化して
おくことが必要である。
・共通事項として、判定基準を満足できない場合には、機械装置の使用条件から、
公差の選定をやり直し、上記工程（１）〜（１２）を満足するまで繰り返すことである。
【００３９】
尚、本判定の前提として
円筒度、真円度、表面粗さ、及び材料、温度による影響は除外した。
また、特殊例の一つとして、圧入公差問題があるが、一般的な書籍に記載されている公差を採用しても必ずしも寸法的には、圧入とはならない。そのためにはいかなる対策を立てるべきかを経験的に実感しながら技術を習得することが必要である。
即ち、公差をシビアにすれば、圧入困難、さらには材料応力過大などの問題もある。
本発明の公差測定器具では体感できないが、感覚的に理解できることが予測される。
【００４０】
次に、軸穴ピッチ公差を求める手順について述べる。
先に、軸径と穴径の公差を求めたが、係る際に設定した公差ピンの最大値とゲージプレートの最小溝幅のときに求めたプラスすきまが、ピッチ公差のプラス最大公差となる。
更に、係る際に設定した公差ピンの最大値とゲージプレートの最小溝幅のときに求めたマイナスすきまが、ピッチ公差のマイナス最大公差となる。
【００４１】
次に、設計図面の記載公差について、その正当性を確認及び修正する手順について述べる。
軸穴ピッチ公差の計測準備段階は
（１）その選定条件に対応する公差ピンの上限値のものと、対応するゲージプレートを選び出す。
（２）ゲージ台の初期調整として，回転つまみを回動し、主尺部と副尺部のゼロ
調整を行う。
回転目盛がある場合には、回転目盛をもって多少力をいれて、回転目盛の０点と、ゲージ台又は、押えカバーの０点基準目盛１２を一致させる。
（３）公差ピンを調整台の位置決用ピンに嵌合挿入する。
（４）次に、ゲージプレートをゲージ台の受子に嵌合挿入する。
（５）回転つまみを回動し、調整台を軸線ｘ方向に進行させて、副尺部にて調整台の移動量を計測しながら、その移動量が、図面のピッチプラス公差に一致するように合わせる。
（６）次に、ゲージプレートを反転（軸ｓを中心に反時計方向）回動し、寸法公差の下限値の開口溝部の奥端部を公差ピンの外径部に密着させる。
（７）調整台の移動量を副尺部にて計測し、工程（５）で設定した移動量と一致していれば、プラス公差は満足している。
但し、一致していなければ、その計測値が、プラス公差の限界値となる。
図面公差は誤りと判断できる。
また、回転目盛がある場合には、回転つまみを回動して、係る際に設定した図面のピッチ公差になる点まで、調整台を後退させ、そのときの回転目盛値が、図面公差のオーバー値を示している。
従って、図面のピッチ公差から、このオーバー値を減算したものが、プラス公差の限界値となる。
【００４２】
次に、マイナス公差を求める手順について述べる。
（８）  工程（２）〜工程（７）まで実施し、工程（５）で設定した移動量と一致していればマイナス公差は満足している。
但し、一致していなければ、その計測値が、マイナス公差の限界値となる。
図面公差は誤りである。
また、回転目盛がある場合には、回転つまみを回動して、係る際に設定した図面のピッチ公差になる点まで、調整台を進行させ、そのときの回転目盛値が、図面公差のオーバー値を示している。
従って、図面のピッチ公差から、このオーバー値を減算したものが、マイナス公差の限界値となる。
以上により、公差の限界値が求められることとなる。
【符号の説明】
【００４３】
１・・・ゲージ台
２・・・調整台
３・・・ガイドレール軸
４・・・調整ネジ杆
５・・・滑動ナット
６・・・バネ
７・・・弾性体
８・・・押えカバー
９・・・回転つまみ
１０・・・回転目盛
１１・・・ゴムブッシュ
１２・・・０点基準目盛
１３・・・スペーサ
１４・・・微調整ネジ
１５・・・受子
１６・・・位置決めピン
１７・・・第２位置決めピン
１８・・・主尺部
１９・・・副尺部
２０・・・公差ピン
２１・・・公差ピンセット
２２・・・公差ピンブロック
３０・・・ゲージプレート
３１・・・穴部
３２・・・円弧状の開口溝
３３・・・第２円弧状の開口溝
３４・・・ゲージプレートブロック
【図１】
2012237699.tif 000003
【図２】
2012237699.tif 000004
【図３】
2012237699.tif 000005
【図４】
2012237699.tif 000006
【図５】
2012237699.tif 000007
【図６】
2012237699.tif 000008
【図７】
2012237699.tif 000009
【図８】
2012237699.tif 000010
【図９】
2012237699.tif 000011
【図１０】
2012237699.tif 000012
【図１１】
2012237699.tif 000013
【図１２】
2012237699.tif 000014